(57)【要約】【課題】ユーザに対しコンテンツ情報の配信状況についての情報提供をする。【解決手段】コンテンツ情報を配信するセンター装置と、車載器と、を含む配信システムにおいて、前記センター装置は、配信するコンテンツ情報の情報量を示す情報を前記車載器に送信し（ステップＳ１１）、前記車載器は、前記センター装置からコンテンツ情報の受信を開始すると、当該コンテンツ情報について前記センター装置から受信した情報量を示す情報に基づいて、当該コンテンツ情報の配信状況を示す情報を作成し、表示する（ステップＳ１２）。【選択図】図８
2009231963.tif 000002
【特許請求の範囲】
【請求項１】
コンテンツ情報を配信するセンター装置と、前記センター装置から配信されるコンテンツ情報を受信する車載器と、を含む配信システムにおいて、
前記センター装置は、前記コンテンツ情報の配信時に当該配信するコンテンツ情報の情報量を示す情報を前記車載器に送信し、
前記車載器は、前記センター装置からコンテンツ情報の受信を開始すると、当該コンテンツ情報について前記センター装置から受信した情報量を示す情報に基づいて、当該コンテンツ情報の配信状況を示す情報を作成し、表示する配信システム。
【請求項２】
前記配信状況を示す情報は、受信中のコンテンツ情報の情報量又は受信中のコンテンツ情報のうち受信を終えた分のコンテンツ情報の受信済み情報量の情報を含み、
前記車載器は、前記センター装置から既に受信を終えたコンテンツ情報の受信済み情報量を算出し、配信状況を示す情報として、受信中のコンテンツ情報について前記センター装置から受信したコンテンツ情報の情報量又は算出した受信済み情報量の情報を表示する請求項１に記載の配信システム。
【請求項３】
前記配信状況を示す情報は、コンテンツ情報の受信を終えるのに要する残り時間の情報を含み、
前記車載器は、受信中のコンテンツ情報の受信速度を算出するとともに、算出した受信速度と、前記受信したコンテンツ情報の情報量を示す情報とに基づいて、受信中のコンテンツ情報の受信を終えるのに要する残り時間を算出し、配信状況を示す情報として算出した残り時間の情報を表示する請求項１又は２に記載の配信システム。
【請求項４】
前記センター装置は、前記コンテンツ情報の情報量を示す情報を、当該コンテンツ情報のヘッダ部に付加して送信し、
前記車載器は、前記サーバからコンテンツ情報を受信すると、当該コンテンツ情報のヘッダ部から当該コンテンツ情報の情報量を示す情報を取得する請求項１〜３の何れか一項に記載の配信システム。
【請求項５】
コンテンツ情報を配信するセンター装置と、前記センター装置から配信されるコンテンツ情報を受信する車載器と、を含む配信システムにおいて、
前記センター装置は、コンテンツ情報を配信する際、当該コンテンツ情報の配信状況を示す情報を作成し、前記車載器に送信し、
前記車載器は、前記センター装置から受信したコンテンツ情報の配信状況を示す情報を表示する配信システム。
【請求項６】
前記配信状況を示す情報は、配信するコンテンツ情報の総情報量又は配信するコンテンツ情報のうち送信を終えた分のコンテンツ情報の送信済み情報量の情報を含み、
前記センター装置は、配信するコンテンツ情報の総情報量又は配信するコンテンツ情報のうち既に送信を終えたコンテンツ情報の送信済み情報量を算出し、算出した総情報量又は送信済み情報量の情報を前記車載器に送信する請求項５に記載の配信システム。
【請求項７】
前記配信状況を示す情報は、配信するコンテンツ情報を送信し終えるのに要する時間の情報を含み、
前記センター装置は、配信するコンテンツ情報の情報量を算出するとともに、コンテンツ情報の送信速度を算出し、算出した情報量及び送信速度を用いてコンテンツ情報の送信を終えるのに要する残り時間を算出し、当該残り時間の情報を前記車載器に送信する請求項５又は６に記載の配信システム。
【請求項８】
前記センター装置は、前記配信状況を示す情報を含む通知用のコンテンツ情報を作成し、前記車載器に送信する請求項５〜７の何れか一項に記載の配信システム。
【請求項９】
センター装置から配信されるコンテンツ情報を受信する車載器において、
センター装置から配信されるコンテンツ情報及び当該コンテンツ情報の情報量を示す情報を受信する通信手段と、
表示手段と、
前記センター装置からコンテンツ情報の受信を開始すると、当該コンテンツ情報について前記センター装置から受信した情報量を示す情報に基づいて、当該コンテンツ情報の配信状況を示す情報を作成し、前記表示手段に表示する制御手段と、
を備える車載器。
【請求項１０】
車載器にコンテンツ情報を配信するセンター装置において、
車載器にコンテンツ情報を送信する通信手段と、
前記コンテンツ情報を送信する際、当該コンテンツ情報の配信状況を示す情報を作成し、前記通信手段により前記車載器に送信する制御手段と、
を備えるセンター装置。
【発明の詳細な説明】
【技術分野】
【０００１】
本発明は、配信システム、車載器及びセンター装置に関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている（例えば、特許文献１、２参照）。すなわち、車両が路側無線装置の通信範囲内にある間のみ、車両の車載器と路側無線装置との双方向通信が可能となり、この間にセンター装置が路側無線装置を介して、広告情報等の各種コンテンツ情報を配信するのである。
【特許文献１】特開２００１−１０１５７８号公報
【特許文献２】特開２００４−２７９５０９号公報
【発明の開示】
【発明が解決しようとする課題】
【０００３】
上記コンテンツ情報の配信システムでは、路側無線装置の通信エリアに進入した車載器に対し、センター装置側から一方的にコンテンツ情報を配信する。車載器側では配信されたコンテンツ情報を受信するのみであるので、どれだけのコンテンツ情報が配信され、その配信にどのぐらいの時間を要するのか、車載器側では配信状況を把握することができなかった。よって、ユーザは全ての配信が終了するまでどの程度の時間がかかるのかを把握できず、待機すべきか否か、その判断が難しかった。
【０００４】
本発明の課題は、ユーザに対しコンテンツ情報の配信状況についての情報提供をすることである。
【課題を解決するための手段】
【０００５】
請求項１に記載の発明によれば、
コンテンツ情報を配信するセンター装置と、前記センター装置から配信されるコンテンツ情報を受信する車載器と、を含む配信システムにおいて、
前記センター装置は、前記コンテンツ情報の配信時に当該配信するコンテンツ情報の情報量を示す情報を前記車載器に送信し、
前記車載器は、前記センター装置からコンテンツ情報の受信を開始すると、当該コンテンツ情報について前記センター装置から受信した情報量を示す情報に基づいて、当該コンテンツ情報の配信状況を示す情報を作成し、表示する配信システムが提供される。
【０００６】
請求項２に記載の発明によれば、
前記配信状況を示す情報は、受信中のコンテンツ情報の情報量又は受信中のコンテンツ情報のうち受信を終えた分のコンテンツ情報の受信済み情報量の情報を含み、
前記車載器は、前記センター装置から既に受信を終えたコンテンツ情報の受信済み情報量を算出し、配信状況を示す情報として、受信中のコンテンツ情報について前記センター装置から受信したコンテンツ情報の情報量又は算出した受信済み情報量の情報を表示する請求項１に記載の配信システムが提供される。
【０００７】
請求項３に記載の発明によれば、
前記配信状況を示す情報は、コンテンツ情報の受信を終えるのに要する残り時間の情報を含み、
前記車載器は、受信中のコンテンツ情報の受信速度を算出するとともに、算出した受信速度と、前記受信したコンテンツ情報の情報量を示す情報とに基づいて、受信中のコンテンツ情報の受信を終えるのに要する残り時間を算出し、配信状況を示す情報として算出した残り時間の情報を表示する請求項１又は２に記載の配信システムが提供される。
【０００８】
請求項４に記載の発明によれば、
前記センター装置は、前記コンテンツ情報の情報量を示す情報を、当該コンテンツ情報のヘッダ部に付加して送信し、
前記車載器は、前記サーバからコンテンツ情報を受信すると、当該コンテンツ情報のヘッダ部から当該コンテンツ情報の情報量を示す情報を取得する請求項１〜３の何れか一項に記載の配信システムが提供される。
【０００９】
請求項５に記載の発明によれば、
コンテンツ情報を配信するセンター装置と、前記センター装置から配信されるコンテンツ情報を受信する車載器と、を含む配信システムにおいて、
前記センター装置は、コンテンツ情報を配信する際、当該コンテンツ情報の配信状況を示す情報を作成し、前記車載器に送信し、
前記車載器は、前記センター装置から受信したコンテンツ情報の配信状況を示す情報を表示する配信システムが提供される。
【００１０】
請求項６に記載の発明によれば、
前記配信状況を示す情報は、配信するコンテンツ情報の総情報量又は配信するコンテンツ情報のうち送信を終えた分のコンテンツ情報の送信済み情報量の情報を含み、
前記センター装置は、配信するコンテンツ情報の総情報量又は配信するコンテンツ情報のうち既に送信を終えたコンテンツ情報の送信済み情報量を算出し、算出した総情報量又は送信済み情報量の情報を前記車載器に送信する請求項５に記載の配信システムが提供される。
【００１１】
請求項７に記載の発明によれば、
前記配信状況を示す情報は、配信するコンテンツ情報を送信し終えるのに要する時間の情報を含み、
前記センター装置は、配信するコンテンツ情報の情報量を算出するとともに、コンテンツ情報の送信速度を算出し、算出した情報量及び送信速度を用いてコンテンツ情報の送信を終えるのに要する残り時間を算出し、当該残り時間の情報を前記車載器に送信する請求項５又は６に記載の配信システムが提供される。
【００１２】
請求項８に記載の発明によれば、
前記センター装置は、前記配信状況を示す情報を含む通知用のコンテンツ情報を作成し、前記車載器に送信する請求項５〜７の何れか一項に記載の配信システムが提供される。
【００１３】
請求項９に記載の発明によれば、
センター装置から配信されるコンテンツ情報を受信する車載器において、
センター装置から配信されるコンテンツ情報及び当該コンテンツ情報の情報量を示す情報を受信する通信手段と、
表示手段と、
前記センター装置からコンテンツ情報の受信を開始すると、当該コンテンツ情報について前記センター装置から受信した情報量を示す情報に基づいて、当該コンテンツ情報の配信状況を示す情報を作成し、前記表示手段に表示する制御手段と、
を備える車載器が提供される。
【００１４】
請求項１０に記載の発明によれば、
車載器にコンテンツ情報を配信するセンター装置において、
車載器にコンテンツ情報を送信する通信手段と、
前記コンテンツ情報を送信する際、当該コンテンツ情報の配信状況を示す情報を作成し、前記通信手段により前記車載器に送信する制御手段と、
を備えるセンター装置が提供される。
【発明の効果】
【００１５】
本発明によれば、ユーザに対し、コンテンツ情報の配信状況についての情報提供を行うことができる。
【発明を実施するための最良の形態】
【００１６】
〈第１実施形態〉
第１実施形態では、車載器においてコンテンツ情報の配信状況を示す情報を作成し、表示する例を説明する。
【００１７】
まず、構成を説明する。
図１に、本実施形態における配信システム１００を示す。
配信システム１００は、図１に示すように車両Ｃに搭載された車載器１０、路側無線装置２０、センター装置３０を含んで構成されている。路側無線装置２０はネットワークＮを介してセンター装置３０と接続され、路側無線装置２０と車両ＣとはＤＳＲＣ通信が可能である。配信システム１００では、センター装置３０が路側無線装置２０を介して車載器１０にコンテンツ情報を配信する。コンテンツ情報については後述する。
【００１８】
以下、各構成装置について説明する。
路側無線装置２０は、図２に示すように本体装置２０ａとアンテナ２０ｂとから構成されている。路側無線装置２０は道路脇や道路上方に設置されたアンテナ２０ｂから、到達距離が限定されたＤＳＲＣの電波を放射して路側無線装置２０近傍に相互通信エリアＺを形成する。この相互通信エリアＺ内にある車両Ｃの車載器１０とだけ双方向狭域無線通信が可能となる。
【００１９】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００２０】
本体装置２０ａは、車載器１０とセンター装置３０間の上方のやりとりを仲介するための処理を行う。すなわち、アンテナ２０ｂを介して車載器１０から受信された情報をセンター装置３０に転送し、センター装置３０から送信されたコンテンツ情報を車載器１０に転送する。本体装置２０ａは、情報処理や通信制御を行う制御部、記憶部等を備えたコンピュータを適用することができる。なお、ここでは本体装置２０ａはセンター装置３０と別体として説明したが、本体装置２０ａがセンター装置３０の一部又は全部の機能を兼ね備えるようにしてもよい。
【００２１】
車載器１０は、車両Ｃに搭載され、案内経路への誘導のための処理等を行うナビゲーション機能の他、ＤＳＲＣによるＥＴＣ（Electric Toll Collection System）利用のための処理を行う機能等を有している。
車載器１０は、図３に示すように、カーナビ部１、ＶＩＣＳ（Vehicle Information and Communication System）モジュール２、ＤＳＲＣ部３、制御部４、ＩＰ通信部５を備えて構成されている。
【００２２】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、ＤＳＲＣ部３のＤＳＲＣ通信動作を制御する。なお、ＤＳＲＣ部３の制御にあたってはＤＳＲＣ部３のＤＳＲＣ制御部３ａとの協働により制御を行う。その他、センター装置３０から受信したコンテンツ情報やＶＩＣＳモジュール２を介して受信した交通情報等の保存、再生制御等を行う。
また、制御部４は、ＣＰＵのクロックを利用して計時が可能であり、内部タイマーとしての機能を有する。
【００２３】
カーナビ部１は、カーナビ制御部１ａ、現在地検出部１ｂ、地図記憶部１ｃ、入力部１ｄ、表示部１ｅ、記憶部１ｆを備えて、車両Ｃを案内経路へ誘導する等のナビゲーションに係る処理を行う。
カーナビ制御部１ａは、現在地検出部１ｂから取得した現在地の情報及び地図記憶部１ｃに記憶された地図ＤＢ（データベース）等に基づいて、車両Ｃの現在地から入力部１ｄを介して設定された目的地までの案内経路を算出する。そして、地図記憶部１ｃに記憶されている地図ＤＢを用いて算出した案内経路を含む地図画面を作成し、表示部１ｅにより表示させる。
【００２４】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車両Ｃの加速度（単位時間あたりの水平方向への回転速度）を検出し、方位センサは地磁気の検出を行って車両Ｃの絶対方位を検出する。現在地検出部１ｂは、これらセンサから取得した各検出結果に基づいて車両Ｃの現在地を示す現在地の情報（緯度、経度等）を生成し、カーナビ制御部１ａに出力する。
【００２５】
地図記憶部１ｃは、メモリやＤＶＤ等の記録媒体から構成され、案内表示に必要な地図ＤＢ、駐車場ＤＢ、ＶＩＣＳモジュール２を介して受信されるガイド情報（道路情報、渋滞情報等）等を記憶している。地図ＤＢは、表示用の地図画像、経路探索用の情報、施設や公園等の地点の情報等を含んでいる。地点の情報は、例えば地点の名称、緯度経度、住所、電話番号等である。駐車場ＤＢは、各駐車場に個々に割り振られたＩＤ（以下、駐車場ＩＤという）、駐車場名称、駐車場の位置する緯度経度、住所、駐車場の営業所等の電話番号、駐車場での車両制限（車幅や車高、重量等の制限）、駐車場の営業時間、料金、特典等を含んでいる。
【００２６】
入力部１ｄは、操作キーや表示部１ｅのモニタと一体に構成されるタッチパネル等から構成されている。入力部１ｄは、これらの操作に対応する操作信号を生成し、カーナビ制御部１ａに出力する。
表示部１ｅはモニタを備え、制御部４やカーナビ制御部１ａの表示制御に従って各種情報を表示する。例えば、設定画面や地図画面、センター装置３０から受信したコンテンツ情報の表示画面等である。
【００２７】
記憶部１ｆはメモリから構成され、制御部４やカーナビ制御部１ａにより実行される制御プログラム、プログラムの実行に必要なパラメータやデータ等を記憶している。
また、記憶部１ｆは車両情報を記憶している。車両情報は車両Ｃに関する情報であり、例えば車両Ｃの車幅、車高、重量、排気量等である。
また、記憶部１ｆはセンター装置３０から受信したコンテンツ情報を記憶する。
【００２８】
ＶＩＣＳモジュール２は、光通信用、ＦＭ通信用、２．４GHz電波通信用のアンテナをそれぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００２９】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、ＤＳＲＣ通信部３ｂ、記憶部３ｃ、ＥＴＣ処理部３ｅ、ＩＣカードＩ／Ｆ３ｆを備えて構成されている。
【００３０】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、ＤＳＲＣ通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、ＤＳＲＣ通信部３ｂにより路側無線装置２０に送信させる一方、ＤＳＲＣ通信部３ｂにより路側無線装置２０を介してコンテンツ情報を受信した場合にはこれを制御部４に出力する。
【００３１】
ＤＳＲＣ通信部３ｂは、車両Ｃのダッシュボート上でフロントガラス近傍に固設されたアンテナを備え、このアンテナを介して路側無線装置２０やＥＴＣ基地局等と、ＤＳＲＣの電波の送受信を行う。
【００３２】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、アップリンク情報の他、車載器１０の特性情報が記憶される。
【００３３】
特性情報とは、車載器１０の機器特性に関する情報をいう。特性情報には、車載器１０に個々に割り振られたＩＤ（以下、車載器ＩＤという）、車載器１０が対応できる言語、地図の測地系、対応可能な著作権管理技術、表示部１ｅのモニタの解像度、ＳＶＧ（Scalable Vector Graphics）の対応性、コンテンツ情報の蓄積可能記憶容量等の項目の情報が含まれる。
【００３４】
アップリンク情報とは、センター装置３０において配信するコンテンツ情報を選択するために用いる情報である。アップリンク情報には、ユーザがコンテンツ情報の配信について契約をしたサービス事業者の特定情報、車両Ｃの目的地情報、経由地情報、累計走行距離情報、過去の立ち寄り地情報、ユーザの嗜好情報、受信再生履歴情報等が含まれる。アップリンク情報は、制御部４によってサービス事業者に応じた内容でサービス事業者毎に生成され、最新の内容となるように制御部４が常に更新を行っている。
【００３５】
サービス事業者の特定情報は、ユーザが予めコンテンツ情報の配信について契約したサービス事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００３６】
嗜好情報は、センター装置３０においてユーザの嗜好に応じたコンテンツ情報を選択するのに用いる情報である。嗜好情報は、コンテンツ情報を分類する複数のカテゴリ毎にユーザが好むか好まないかを示す情報を含む。このカテゴリは、「暮らし」、「買い物」等のようにコンテンツ情報の分類を示すものであり、サービス事業者が任意に設定できるものである。
【００３７】
受信再生履歴情報は、センター装置３０から配信されたコンテンツ情報に付与されている情報コード及びその再生の履歴の情報である。履歴の情報は、受信したコンテンツ情報のうち、実際に表示部１ｅに表示される等して再生されたコンテンツ情報の情報コードがあり、再生時の緯度経度情報や時刻情報等が含まれることもある。
【００３８】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅとの間で情報のやりとりを仲介する。
【００３９】
ＩＰ通信部５は、携帯電話等の無線通信デバイス４０を用いるＰＤＣ（Personal Digital Cellular）、ＣＤＭＡ（Code Division Multiple Access）の他、ＷｉＭＡＸ（World wide Interoperability for Microwave Access）等によるＩＰ通信が可能な通信モジュールを備えて、センター装置３０とＩＰ通信を行う。
【００４０】
次に、センター装置３０について説明する。
センター装置３０は、コンテンツ情報を記憶し、これを車載器１０に配信する。なお、図１では１台のセンター装置３０のみ示したが、センター装置３０はコンテンツ情報を配信するサービス事業者毎に備えられるものである。
図４に、センター装置３０の機能的構成を示す。
図４に示すように、センター装置３０は制御部３１、入力部３２、表示部３３、記憶部３４、通信部３５を備えて構成されている。
【００４１】
制御部３１は、ＣＰＵ、ＲＡＭ等から構成され、記憶部３４に記憶された制御プログラムとの協働により各種演算を行う他、各部を集中制御する。
【００４２】
入力部３２はキーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００４３】
記憶部３４は、制御部３１により実行されるプログラムの他、プログラムの実行に必要な各種データを記憶する。
ユーザはコンテンツ情報の配信サービスに加入する契約を行う際、会員登録を行うので、記憶部３４はこの会員登録されたユーザの氏名、住所等の特定情報を記憶する他、ユーザが所有する車載器１０の車載器ＩＤ、ユーザの嗜好情報等の情報をユーザ毎にデータベース化して記憶する。
【００４４】
また、記憶部３４は配信すべきコンテンツ情報を記憶している。
コンテンツ情報とは、店舗の広告や駐車場、医療施設の案内等のコンテンツ（テキスト情報、画像情報、音情報）だけではなく、コンテンツを提供するサービス事業者の情報等の他の配信すべき情報を含めたひとまとまりの情報をいう。
コンテンツ情報は、図５に示すようにヘッダ部Ｈ１と、実情報部Ｈ２とから構成されている。実情報部Ｈ２にはコンテンツ情報の実体的な情報（以下、実情報という）が格納され、ヘッダ部Ｈ１には実情報に付加する情報が格納される。一例として、図６にヘッダ部Ｈ１のフォーマットを示し、図７に実情報部Ｈ２のフォーマットを示す。
【００４５】
図６に示すように、ヘッダ部Ｈ１には情報コード、実情報量の情報が含まれる。情報コードはコンテンツ情報を識別するために付与されるものであり、実情報の情報提供（ＩＤ＝０２）に含まれる情報コードと同じである。実情報量は実情報部Ｈ２に格納される全実情報の情報量をいう。つまり、ヘッダ部Ｈ１に書き込まれる実情報量は、１つのコンテンツ情報に含まれる実情報の情報量である。
【００４６】
図７に示すように、実情報部Ｈ２には、個々にＩＤが付された情報、例えば構成ＩＤ、事業者、情報提供、再生条件、有効期限、時間提供、対象地点、情報提供地点、遷移情報、駐車場情報、運転支援情報、嗜好情報等が含まれている。
【００４７】
ＩＤ＝００の構成ＩＤの情報は、コンテンツ情報内に含まれる情報のＩＤの一覧を表す情報である。ＩＤ＝００の構成ＩＤを参照することによりコンテンツ情報内にどの情報が含まれているかを判断することができる。
ＩＤ＝０１の事業者の情報は、サービス事業者を特定するための情報であり、例えば事業者コード等である。
ＩＤ＝０２の情報提供はコンテンツ情報に関する詳細な情報であり、例えばサービス事業者がコンテンツ情報に対し個別に割り付けた情報コード、コンテンツ情報が属する嗜好情報のカテゴリ等である。
【００４８】
ＩＤ＝０３の再生条件はコンテンツ情報の再生条件に関する情報であり、例えば即時／蓄積コード等である。即時／蓄積コードとは受信完了後即時に再生するコンテンツであるか、受信したコンテンツ情報を相互通信エリアＺ外でも利用可能なコンテンツとして蓄積するかを表す識別子である。
【００４９】
ＩＤ＝０４の有効期限はコンテンツの再生についての有効期限を示す情報であり、有効期限の開始時期及び終了時期を示す日時で表される。
ＩＤ＝０５の時間提供は対象地点においてサービスを提供できる営業時間等の情報である。
【００５０】
対象地点とはサービスの提供を行う店舗や施設等をいい、ＩＤ＝１０の対象地点の情報としては、例えば対象地点の位置を示す対象地点座標（緯度経度）、対象地点名称等を示す対象地点表示用テキスト、対象地点の説明や広告、お知らせ等の情報提供すべきコンテンツであるテキスト、画像、音声、対象地点の情報をＩＰ通信により提供する際のＵＲＬ、対象地点を地図上に表示する際に使用されるアイコン画像、提携駐車場情報等からなる。提携駐車場情報とは、対象地点において提携指定されている駐車場に関する情報であり、例えば提携指定されている駐車場を示す駐車場ＩＤの情報である。
【００５１】
ＩＤ＝２０の情報提供地点の情報はコンテンツを再生させたい情報提供エリアに関する情報である。蓄積されたコンテンツについては、情報提供エリア内にある道路である方向から車両Ｃが進入した際にコンテンツがあることを通知するポップアップ通知を行い、そこで再生の指示がなされるとコンテンツの再生を行う。ＩＤ＝２０の情報提供地点は、このときのポップアップ通知やコンテンツ再生等を行う際の条件を指定する情報である。例えば、情報提供エリアの中心座標（緯度経度）、半径、車両Ｃの進入方向を示す方向コード、道路種別、ポップアップ通知用の表示画像、音声等からなる。つまり、実際にポップアップされてユーザに通知される内容はＩＤ＝２０の画像や音声等である。
【００５２】
ＩＤ＝３０の遷移情報は、ＩＤ＝２０の対象地点のコンテンツに画像が含まれるコンテンツ情報が複数あり、各コンテンツ情報の画像を遷移させて表示する場合に用いる情報である。遷移情報は、例えば次の遷移先の情報コードを示す次再生情報コード等からなる。
【００５３】
ＩＤ＝５０の駐車場情報は、センター装置３０において予め登録されている駐車場に関する情報である。駐車場情報は、例えばセンター装置において予め登録されている駐車場の駐車場ＩＤ、満空情報の他、車両制限、予約可否、料金、特記事項等である。満空情報とは満車、空車の状況を示す情報をいう。また、特記事項には「雨よけ」等の情報を含ませることができるので、この特記事項の情報を参照することにより雨に濡れない駐車場等、ユーザの要望に応じた駐車場を選択することが可能となる。
【００５４】
ＩＤ＝６０の運転支援情報は、駐車場の出入口付近や駐車場内の合流分岐、速度案内等、敷地内の運転に関して運転の補助となる情報である。運転支援情報は、例えば運転支援のための画像、当該コンテンツ情報を受信した際に情報の内容を発話することによりユーザに知らせるための音声案内を行うのに用いられる表音文字列、圧縮音声、音声の再生順の情報等である。
【００５５】
ＩＤ＝８０の嗜好情報は、上述したように配信するコンテンツ情報の選択に用いる情報である。嗜好情報は、例えば嗜好情報のバージョン、そのバージョンで定められているカテゴリの名称を示す表示用テキスト、表音文字列、カテゴリの詳細情報等からなる。
【００５６】
コンテンツ情報は上記各ＩＤの情報を含めて予め作成されたものを記憶部３４に保存しておき、配信時に、これらコンテンツ情報のうち配信するコンテンツ情報を制御部３１が選択する。なお、各ＩＤの情報は必要に応じてコンテンツ情報に含められ、常に全てのＩＤの情報がコンテンツ情報に含まれているわけではない。例えば、対象地点において提携指定されている提携駐車場が無ければ、ＩＤ＝１０の対象地点に提携駐車場情報は含まれないことになる。
【００５７】
通信部３５は、路側無線装置２０とＤＳＲＣ通信又はＩＰ通信を行うための通信用インターフェイスを備え、制御部３１の通信制御に従って通信処理を実行する。
【００５８】
次に、動作について説明する。
図８を参照して、コンテンツ情報を配信する際におけるセンター装置３０、路側無線装置２０、車載器１０の処理の流れを説明する。
図８に示すように、まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、制御部４が表示部１ｅや記憶部１ｆ等の各部に問い合わせるか、或いは予め記憶部１ｆに記憶されている情報を読み出す等して取得し、アップリンク情報記憶領域Ｍの対応する領域に書き込む。なお、実際には書込を指示する制御情報をＤＳＲＣ制御部３ａに出力し、このＤＳＲＣ制御部３ａがアップリンク情報記憶領域Ｍに書き込む。
【００５９】
その後、車両Ｃが走行を開始、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、路側無線装置２０からＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。なお、ＤＳＲＣ接続時には、車載器１０の記憶部３ｃ等に記憶されている車載器１０を識別するための車載器ＩＤがセンター装置３０に対して送信されている。
【００６０】
次いで、路側無線装置２０が車載器１０のＤＳＲＣ部３に対し、特性情報の送信要求を行うと、ＤＳＲＣ部３は記憶部３ｃのアップリンク情報記憶領域Ｍに書き込まれている特性情報を路側無線装置２０に送信する（ステップＳ５）。特性情報は路側無線装置２０を介してセンター装置３０に送信される。
【００６１】
センター装置３０は、受信した特性情報に含まれる車載器ＩＤを元に車載器１０のユーザが配信サービスの会員か否かの認証を行った後、デフォルトのコンテンツ情報を車載器１０に送信する（ステップＳ６）。デフォルトのコンテンツ情報とは図９に示すように会員向けのウェルカム画面であったり、非会員にも提供される電車の遅延情報、納税通知情報等の公共の広告情報等の一般向けの内容の情報である。認証は会員データベースに登録されている車載器ＩＤと一致するかどうかで判断し、会員であると認証された場合にはデフォルトのコンテンツ情報に加えて配信事業者の事業者コードの通知情報を車載器１０に送信する。車載器１０ではデフォルトのコンテンツ情報が記憶部１ｆに保存される。
【００６２】
車載器１０では、路側無線装置２０を介して事業者コードの通知情報が受信されると、車載器１０の制御部４は記憶部１ｆに記憶されているアップリンク情報に含まれる事業者コードと、通知された事業者コードとを照合し、一致する場合には正規の配信事業者であると判断し、制御部４は当該事業者コードに対応するアップリンク情報を記憶部１ｆから読み出してアップリンク情報記憶領域Ｍに書き込む（ステップＳ７）。前述のようにアップリンク情報は各配信事業者に応じて制御部４が生成し、更新を行っているので、配信事業者に応じた内容かつ最新の内容となっている。なお、照合した事業者コードが一致しない場合にはアップリンク情報の書込は行わずに処理を終了する。
【００６３】
センター装置３０は、デフォルトのコンテンツ情報を送信後、車載器１０に対し定期的にポーリングを行って（ステップＳ８）、アップリンク情報記憶領域Ｍに書き込まれたアップリンク情報を要求する。
車載器１０のＤＳＲＣ部３は、センター装置３０からのポーリングに応じてアップリンク情報記憶領域Ｍに記憶されているアップリンク情報を、路側無線装置２０を介してセンター装置３０に送信する（ステップＳ９）。
【００６４】
センター装置３０は、アップリンク情報を受信すると、当該アップリンク情報及び先に受信している特性情報に基づいて、車載器１０に配信するコンテンツ情報を選択する（ステップＳ１０）。例えば、特性情報に含まれる対応できる言語の情報が「日本語」であり、アップリンク情報に含まれる嗜好情報のカテゴリが「洋画」や「アニメ」等であれば、日本語対応であって嗜好情報のカテゴリが「洋画」や「アニメ」であるコンテンツ情報を選択する。
【００６５】
次いで、センター装置３０は選択したコンテンツ情報を車載器１０に送信する（ステップＳ１１）。車載器１０ではセンター装置３０からコンテンツ情報の受信を開始すると、配信状況表示処理を実行する（ステップＳ１２）。配信状況表示処理については後述する。また、車載器１０は受信を終了したコンテンツ情報を記憶部１ｆに保存する（ステップＳ１３）。
【００６６】
センター装置３０では、配信すべきコンテンツ情報を全て配信すると配信終了を通知するメッセージ情報を制御部３１が生成して車載器１０に送信する（ステップＳ１４）。この配信終了のメッセージ情報はユーザに対しエリアアウトを促すためのものであり、車載器１０は受信したメッセージ情報を表示する。その後、一定時間路側無線装置２０との通信が途絶えると、車載器１０の制御部４は配信を終了したと判断してアップリンク情報を削除する制御を行う（ステップＳ１５）。この制御に応じて、ＤＳＲＣ制御部３ａはアップリンク情報記憶領域Ｍ内のアップリンク情報を削除する。
【００６７】
次に、図１０を参照して車載器１０が実行する配信状況表示処理について説明する。配信状況表示処理は、コンテンツ情報を１つ受信する毎に実行し、受信中の１つのコンテンツ情報についての配信状況を示す処理である。
図１０に示すように、車載器１０においてコンテンツ情報の受信を開始すると、制御部４が内部タイマーによる計時を開始する（ステップａ１）。次いで、制御部４は受信中のコンテンツ情報のヘッダ部Ｈ１を参照し、コンテンツ情報の実情報量を取得する（ステップａ２）。なお、ヘッダ部Ｈ１には格納されている実情報量は、そのヘッダ部Ｈ１に係るコンテンツ情報の実情報量である。よって、センター装置３０から例えば５つのコンテンツ情報が配信される場合であっても、ここで取得するのはコンテンツ情報５つ分の実情報量ではなく、５つのうち現在受信中の１つのコンテンツ情報の実情報量である。
【００６８】
次いで、制御部４はコンテンツ情報の受信を開始してから現時点まで経過した時間を、内部タイマーから取得する（ステップａ３）。そして、制御部４は現時点までに受信し終えた分のコンテンツ情報の情報量（以下、受信済み情報量という）を算出する。算出方法は公知の技術を用いればよい。例えば、コンテンツ情報はパケット配信されるので、ＤＳＲＣ通信部３ｂにおいて受信カウンタを設けて受信するパケット毎の受信量を求めればよい。そして、現時点での受信済み情報量と取得した経過時間とから下記式により受信速度を算出する（ステップａ４）。
受信速度＝受信済み情報量／経過時間
【００６９】
また、制御部４は取得したコンテンツ情報の実情報量と、算出した受信速度とから、コンテンツ情報を受信し終えるまでに要する総時間を下記式により算出する（ステップａ５）。
総時間＝実情報量／受信速度
【００７０】
さらに、制御部４は算出した総時間と、取得した経過時間とから、受信中のコンテンツ情報を受信し終えるまでの残り時間を下記式により算出する（ステップａ６）。
残り時間＝総時間／経過時間
【００７１】
算出を終えると、制御部４は配信状況を示す表示画面を作成し、表示部１ｅに表示させる（ステップａ７）。
図１１は、受信状況を示す表示画面の一例である。
図１１に示すように、制御部４は図９に示したウェルカム画面ｄ１上に配信状況を示す情報を表示した表示画面ｄ２を作成する。表示画面ｄ２において配信状況を示す情報として算出した残り時間ｄ２１を表示させるとともに、受信中のコンテンツ情報の実情報量ｄ２２（△△ＭＢ）に対して受信済み情報量ｄ２３（○○ＭＢ）を示す情報を表示させる。また、その割合を示すインジケータｄ２４を作成して表示させる。このインジケータｄ２４の全体の長さは受信中のコンテンツ情報の実情報量を示し、そのうち受信済み情報量を目盛りで表している。
【００７２】
表示後、制御部４は受信中のコンテンツ情報を全て受信し終えたかどうかを判断する（ステップａ８）。受信を終えていない場合にはステップａ３の処理に戻り、配信状況を示す情報の表示を繰り返し行う。すなわち、１つのコンテンツ情報の受信を完了すると、次に受信するコンテンツ情報について配信状況を示す情報の表示を繰り返す。
【００７３】
全て受信し終えた場合は（ステップａ８；Ｙ）、受信状況を示す表示画面を非表示とする（ステップａ９）。また、内部タイマーによる計時を停止し、計時していた経過時間をリセットすると（ステップａ１０）、本処理を終了する。受信し終えたコンテンツ情報は記憶部１ｆに保存される（図８のステップＳ１３）。
【００７４】
以上のように、第１実施形態によれば、センター装置３０が配信対象であるコンテンツ情報毎の実情報量の情報をヘッダ部Ｈ１に書き込んで付加し、車載器１０に送信する。車載器１０では、受信中の各コンテンツ情報のヘッダ部Ｈ１から得られる実情報量の情報に基づいて、受信中の各コンテンツ情報について配信状況を示す情報を作成し、表示する。これにより、ユーザに対しコンテンツ情報の配信状況について情報提供することができる。
【００７５】
車載器１０は、配信状況を示す情報として、コンテンツ情報のヘッダ部Ｈ１から取得した実情報量の情報を表示する。これにより、ユーザはどのくらいの大きさのコンテンツ情報を受信するのかを知ることができ、受信に要する時間を推測することができる。
【００７６】
また、車載器１０は、既に受信済み情報量を判断し、配信状況を示す情報として表示する。これにより、ユーザはどのくらい受信が終了したのかを知ることができ、あとどれぐらいで終了するのかを推測することができる。
【００７７】
車載器１０は、コンテンツ情報の受信速度を算出し、算出した受信速度と、コンテンツ情報の実情報量とから、コンテンツ情報の受信を終えるのに要する残り時間の情報を算出し、配信状況を示す情報として表示する。これにより、ユーザはあとどのぐらい待機すればいいのかを用意に把握することができる。
【００７８】
なお、上記第１実施形態では、車載器１０において受信中のコンテンツ情報のヘッダ部Ｈ１に格納されている実情報量に基づき、個々のコンテンツ情報についての配信状況を示す例を示した。これによれば、配信されるコンテンツ情報が複数ある場合でも、個々のコンテンツ情報についての配信状況のみ示すことになるが、これに限らず、配信される全コンテンツ情報についての配信状況を示す構成としてもよい。例えば、センター装置３０においてアップリンク情報等に基づき配信対象のコンテンツ情報を選択した後、選択した全コンテンツ情報の総情報量を算出する。そして、この総情報量の情報を、配信する先頭のコンテンツ情報のヘッダ部Ｈ１に追記して車載器１０に送信する。車載器１０では先頭のコンテンツ情報から総情報量の情報を取得し、配信される全コンテンツ情報の総情報量を配信状況を示す情報として表示する。これにより、ユーザは個々のコンテンツ情報についての配信状況のみならず、配信される全てのコンテンツ情報がどのぐらいの情報量であるのか把握することができ、どれだけ時間を要するのかを推測することができる。
【００７９】
〈第２実施形態〉
第２実施形態では、センター装置において配信状況を示す情報を作成し、車載器が表示する例を説明する。
第２実施形態に係る配信システムの構成は第１実施形態と同一であり、動作が異なるのみである。よって、同一の構成部には同一の符号を付し、異なる動作部分のみ説明する。
【００８０】
図１２は、コンテンツ情報を配信する際のセンター装置３０、路側無線装置２０、車載器１０の処理の流れを示すフローチャートである。
図１２に示すステップＳ１〜Ｓ１０、Ｓ１３〜Ｓ１５の処理は、第１実施形態において図８を参照して説明したステップＳ１〜Ｓ１０、Ｓ１３〜Ｓ１５と同一の処理である。よって、ステップＳ１〜Ｓ１０、Ｓ１３〜Ｓ１５の処理については説明を省略し、第２実施形態に特徴的な図１２のステップＳ２１、Ｓ２２についてのみ説明する。
【００８１】
すなわち、図１２に示すようにセンター装置３０においてコンテンツ情報の選択がなされると（ステップＳ１０）、センター装置３０ではコンテンツ情報送信処理を実行する（ステップＳ２１）。
図１３を参照してコンテンツ情報送信処理について説明する。この処理はコンテンツ情報を送信するとともに、配信する一又は複数のコンテンツ情報についての配信状況を示す情報を作成して送信する処理である。
【００８２】
図１３に示すように、センター装置３０では制御部３１が配信するものとして選択されたコンテンツ情報の編集を行う（ステップｂ１）。編集とは情報の変更、追加、削除をいう。選択したものによって情報に不整合が生じる等し、情報の編集が必要になる場合があるからである。
【００８３】
例えば、編集が必要なものとしてＩＤ＝３０の遷移情報に含まれる次再生情報コードが挙げられる。コンテンツ情報には他のコンテンツ情報と関連して再生するものがあり、他のコンテンツ情報と階層構造を形成する。例えば、「エンターテイメント」のカテゴリのコンテンツ情報を頂点として、「映画」、「音楽」、「ゲーム」等のカテゴリのコンテンツ情報が従属し、「映画」のカテゴリにはさらに「邦画」、「洋画」、「アニメ」等のカテゴリのコンテンツ情報が従属している。次再生情報コードはこのような階層構造において次に再生すべきコンテンツ情報の情報コードを示す情報である。
【００８４】
センター装置３０ではコンテンツ情報を配信する際、アップリンク情報に含まれる嗜好カテゴリに応じたコンテンツ情報を選択する。上記の例でいえば、嗜好情報カテゴリが「洋画」である場合、「エンターテイメント」、「映画」、「洋画」のコンテンツ情報が選択される。しかし、「映画」のコンテンツ情報には次再生情報コードとして「邦画」のコンテンツ情報の情報コードも含まれているはずである。よって、この場合は「映画」のコンテンツ情報の次再生情報コードから「邦画」の情報コードを削除する編集を行う。このように、次再生情報コードだけでなく、他の情報においても配信時に調整する必要がある場合があるので、ここで情報の編集を行う。
【００８５】
次に、制御部３１は選択した全コンテンツ情報の総情報量を算出する（ステップｂ２）。制御部３１は編集後の個々のコンテンツ情報の実情報量を算出し、その総和を総情報量とする。算出式は下記式で表される。
総情報量＝Σ（各コンテンツ情報の情報量）
【００８６】
次いで、制御部３１は各コンテンツ情報の構成ＩＤの情報を書き込む（ステップｂ３）。すなわち、構成ＩＤ（ＩＤ＝００）の領域に、編集後のコンテンツ情報に含まれる項目情報のＩＤを書き込む。また、ヘッダ部Ｈ１にコンテンツ情報の実情報量を書き込み、付加させる。書込を終えると、制御部３１は通信部３５によるコンテンツ情報の送信を開始させる（ステップｂ４）。また、送信の開始と同時に内部タイマーによる計時を開始する（ステップｂ５）。
【００８７】
コンテンツ情報の送信を開始後、制御部３１は内部タイマーにより取得した経過時間の情報を取得する（ステップｂ６）。次いで、制御部３１は既に送信した分のコンテンツ情報の情報量（以下、送信済み情報量という）を判断し、この送信済み情報量と、送信開始からの経過時間とから、下記式によりコンテンツ情報の送信速度を算出する（ステップｂ７）。
送信速度＝送信済み情報量／経過時間
【００８８】
また、制御部３１は配信する全てのコンテンツ情報の総情報量と、算出した送信速度とから、全てのコンテンツ情報を送信し終えるまでに要する総時間を算出する（ステップｂ８）。算出式は下記の通りである。
総時間＝総情報量／送信速度
【００８９】
さらに、制御部３１は算出した総時間と、取得した経過時間とから、全てのコンテンツ情報を送信し終えるまでの残り時間を算出する（ステップｂ９）。算出式は下記の通りである。
残り時間＝総時間−経過時間
【００９０】
以上を算出すると、制御部３１はコンテンツ情報の配信状況を示す静止画のコンテンツを作成する。そして、このコンテンツを含む通知用のコンテンツ情報を作成し、当該コンテンツ情報の情報提供（ＩＤ＝０２）の項目において、即時再生を示すコードを書き込んで当該コンテンツ情報が即時型であることを指定する（ステップｂ１０）。
【００９１】
図１４に、配信状況を示す静止画のコンテンツ例を示す。なお、ここでは静止画のコンテンツを作成する例を説明するが、文字や音声、動画等の他のコンテンツやこれらを組合せて作成してもよい。
図１４に示す静止画ｄ３の内容は、第１実施形態において図１１を参照して説明した内容と基本的に同じである。つまり、静止画ｄ３には制御部３１が算出した残り時間ｄ３１、全てのコンテンツ情報の総情報量ｄ３２に対する送信済み情報量ｄ３３を示す割合、その割合を図示したインジケータｄ３４が含まれる。第１実施形態と異なるのは、第１実施形態では表示するコンテンツ情報の情報量が受信した個々のコンテンツ情報の情報量であるのに対し、第２実施形態では配信するコンテンツ情報全てを総和した情報量であることである。
【００９２】
第１実施形態では車載器１０側でコンテンツ情報の情報量をコンテンツ情報のヘッダ部Ｈ１の情報から判断しているため、個々のコンテンツ情報の情報量しか判断できない。よって、複数のコンテンツ情報が配信された場合でも車載器１０において示される配信状況は個々のコンテンツ情報についての配信状況となる。一方、第２実施形態では、センター装置３０側で配信対象の全コンテンツ情報を把握することができるため、配信対象が複数ある場合には全コンテンツ情報についての配信状況を示すことができる。この点が第１実施形態とは異なる点となる。
【００９３】
次いで、制御部３１は通知用のコンテンツ情報を送信可能なタイミングかどうかを判断する（ステップｂ１１）。例えば、あるコンテンツ情報を送信中に割り込んで配信することがないよう、１つのコンテンツ情報を送信し終えるタイミングも判断する。また、所定時間毎に送信する、コンテンツ情報を１つ送信する毎に送信する等、送信するタイミングが予め定められている場合には、そのタイミングかどうかを判断する。送信するタイミング自体は適宜設定できることとする。通知用のコンテンツ情報は送信する頻度が多すぎると、車載器１０側で表示が見づらくなること等も考えられるので、必要性を考慮してタイミングを設定すればよい。
【００９４】
送信可能なタイミングであると判断した場合には（ステップｂ１１；Ｙ）、通信部３５により通知用のコンテンツ情報を車載器１０に送信する（ステップｂ１２）。車載器１０送信後、制御部３１は配信するものとして選択した全てのコンテンツ情報を送信し終えたか否かを判断する（ステップｂ１３）。未送信のものがあれば（ステップｂ１３；Ｎ）、ステップｂ６の処理に戻り、通知用のコンテンツ情報の作成を繰り返す。すなわち、現時点での送信状況に応じて、残り時間や送信済み情報量等を算出し直して通知用のコンテンツ情報を作成する。
【００９５】
一方、全てのコンテンツ情報を送信し終えた場合（ステップｂ１３；Ｙ）、制御部３１は内部タイマーによる計時を停止し、リセットして（ステップＳ１４）、本処理を終了する。
【００９６】
以上の処理により送信されるコンテンツ情報と通知用のコンテンツ情報とを、図１５に示す。
図１５において符号Ｃ１〜Ｃ３で示すのは配信対象として選択されたコンテンツ情報であり、符号Ｅ１、Ｅ２で示すのは通知用のコンテンツ情報である。図１５では、コンテンツ情報Ｃ１〜Ｃ３を配信する毎に、通知用のコンテンツ情報Ｅ１、Ｅ２を配信する例を示している。すなわち、コンテンツ情報Ｅ１は未送信のコンテンツ情報Ｃ２、Ｃ３を送信するのに要する残り時間、コンテンツ情報Ｃ１〜Ｃ３の総情報量、既に送信を終えたコンテンツ情報Ｃ１の送信済み情報量等を示すコンテンツを含んでいる。同様に、コンテンツ情報Ｅ２のコンテンツには未送信のコンテンツ情報Ｃ３を送信するのに要する残り時間と、コンテンツ情報Ｃ１〜Ｃ３の総情報量、既に送信を終えたコンテンツ情報Ｃ１、Ｃ２の送信済み情報量等が含まれることとなる。
【００９７】
本来ならば、コンテンツ情報Ｃ１〜Ｃ３は、コンテンツ情報Ｃ１、Ｃ２、Ｃ３の順に送信されるところ、通知用のコンテンツ情報Ｅ１、Ｅ２が割込みで送信されることとなる。よって、図１５に示すように、コンテンツ情報Ｃ１、Ｅ１、Ｃ２、Ｅ２、Ｃ３の順に送信が行われる。通知用のコンテンツ情報Ｅ１、Ｅ２は前述のように即時再生の指定がなされているので、車載器１０側では通知用のコンテンツ情報Ｅ１、Ｅ２の受信を完了した時点で当該通知用のコンテンツ情報Ｅ１、Ｅ２を即時に再生する。
【００９８】
以上のように、第２実施形態によれば、センター装置３０はコンテンツ情報を送信する際に、配信対象の全コンテンツ情報についての配信状況を示す情報を作成し、車載器１０に送信し、車載器１０がこれを表示する。これにより、ユーザにコンテンツ情報の配信状況についての情報提供を行うことができる。
【００９９】
センター装置３０は配信状況を示す情報として、配信するコンテンツ情報の総情報量の情報を送信するので、ユーザは配信されるコンテンツ情報がどのぐらいの大きさなのかを把握することができ、受信にどの程度の時間がかかるのかを推測することができる。
【０１００】
センター装置３０は、配信状況を示す情報として、既に送信を終えたコンテンツ情報の送信済み情報量の情報を送信するので、ユーザは配信がどの程度終えたのかを把握することができる。
【０１０１】
また、センター装置３０はコンテンツ情報の送信速度を算出し、送信速度とコンテンツ情報の総情報量とからコンテンツ情報の送信を終えるのに要する残り時間を算出して、これを配信状況を示す情報として送信する。これにより、ユーザはあとどのぐらいで配信が終了するのかを容易に把握することができる。
【０１０２】
また、センター装置３０は配信状況を示す情報を、コンテンツ情報として作成して車載器１０に送信するので、車載器１０はコンテンツ情報として再生することにより配信状況を示す情報を表示することができる。
【０１０３】
なお、上記第１及び第２実施形態は、本発明の好適な一例であり、これに限定されるものではない。
例えば、センター装置３０ではコンテンツ情報は予め作成しておいたものを保有し、配信時にはその中から選択したコンテンツ情報を送信する例を説明したが、これに限らず、配信時にコンテンツ情報を作成することとしてもよい。
【図面の簡単な説明】
【０１０４】
【図１】本実施形態における配信システムを示す図である。
【図２】図１の路側無線装置の相互通信エリアを説明する図である。
【図３】図１の車載器の機能的構成を示す図である。
【図４】図１のセンター装置の機能的構成を示す図である。
【図５】コンテンツ情報の構成を示す図である。
【図６】コンテンツ情報のヘッダ部の例を示す図である。
【図７】コンテンツ情報の実情報部の例を示す図である。
【図８】第１実施形態に係る配信システムにおいてコンテンツ情報を配信する際の処理の流れを説明する図である。
【図９】デフォルトのコンテンツ情報を再生したときの表示画面例である。
【図１０】車載器で実行される配信状況表示処理の流れを示す図である。
【図１１】受信状況を示す表示画面例である。
【図１２】第２実施形態に係る配信システムにおいてコンテンツ情報を配信する際の処理の流れを説明する図である。
【図１３】センター装置で実行されるコンテンツ情報送信処理の流れを示す図である。
【図１４】送信状況を示す静止画例である。
【図１５】配信されるコンテンツ情報及び通知用のコンテンツ情報を示す図である。
【符号の説明】
【０１０５】
１００  配信システム
１０    車載器
１  カーナビ部
１ａ  カーナビ制御部
１ｅ  表示部
１ｆ  記憶部
３  ＤＳＲＣ部
３ｂ  ＤＳＲＣ通信部
３ｃ  記憶部
５  ＩＰ通信部
Ｍ  アップリンク情報記憶領域
４  制御部
２０  路側無線装置
３０  センター装置
３１  制御部
３４  記憶部
３５  通信部
【図１】
2009231963.tif 000003
【図２】
2009231963.tif 000004
【図３】
2009231963.tif 000005
【図４】
2009231963.tif 000006
【図５】
2009231963.tif 000007
【図６】
2009231963.tif 000008
【図７】
2009231963.tif 000009
【図８】
2009231963.tif 000010
【図９】
2009231963.tif 000011
【図１０】
2009231963.tif 000012
【図１１】
2009231963.tif 000013
【図１２】
2009231963.tif 000014
【図１３】
2009231963.tif 000015
【図１４】
2009231963.tif 000016
【図１５】
2009231963.tif 000017